(57)【特許請求の範囲】
【請求項１】
押出スクリューのためのミキシングセクションであって：
（ａ）押出成形品を受容するための入口端及び押出成形品を排出するための出口端と、
（ｂ）該入口端と該出口端との間から伸展している、互い違いになっているワイピングランド及びバリアランドであって、該ワイピングランド及び該バリアランドの両方とも正のらせん角度を有しており、かつ該ワイピングランドがバリアランドよりも大きいらせん角度を有しており、該ワイピングランド及び該バリアランドが、その入口端から出口端へ断面積が減少する入口チャネルを規定しており、該バリアランド及び該ワイピングランドがまた、該入口端と交互しており、かつその入口端から出口端へ断面積を増大する出口チャネルを規定している、ワイピングランド及びバリアランドと、
（ｃ）該ワイピングランド及びバリアランドに切り込まれたミキシングチャネルであって、該ミキシングチャネルは、該ワイピングランドに対して共通の内面壁を提示しており、該ミキシングチャネルは、該ワイピングランドの角度から少なくとも９０度離れている負のらせん角度を規定するように配置されており、それによって、該入口端から出口端に流れる押出成形品の一部は、該押出成形品の一部が、該ミキシングチャネルの内面壁に遭遇する時方向を変える、ミキシングチャネルと、
を備え、
前記入口チャネルの深さが入口端から出口端に向かって減少し、前記出口チャネルの深さが入口端から出口端へ増大する、ミキシングセクション。
【請求項２】
前記ワイピングランドのらせん角度が、５５度と７５度との間であって、かつ該バリアランドのらせん角度が、該ワイピングランドのらせん角度よりも少なくとも５度大きい、請求項１に記載のミキシングセクション。
【請求項３】
前記ミキシングチャネルの少なくとも１つが、各々の入口チャネル及び各々の出口チャネル中のワイピングランドとバリアランドとの間の表面にまたがって規定される、請求項１または２に記載のミキシングセクション。
【請求項４】
押出バレル内の回転のための熱可塑性押出スクリューであって、該押出スクリューは、
（ａ）押出バレル内の縦軸に対して回転可能である、該して円柱状の、細長いスクリュールートと、
（ｂ）前記スクリュールートにそって配置されている計測セクションであって、該計測セクションは、押出バレルのスクリュールートから内面へ伸展するらせんのワイピングランドを有しており、該らせんのワイピングランドは、該計測セクションを通じて押出成形品を運ぶためのチャネルを規定している、計測セクションと、
（ｃ）該計測セクションの下流のミキシングセクションであって、該ミキシングセクションは：
（ｉ）入口端及び出口端を有している、円柱状のミキシングセクションルートと、
（ｉｉ）前記ミキシングセクションルートから外向きに伸展する少なくとも２つのワイピングランドであって、該ワイピングランドは、側面及び外面を有しており、該外面は該押出バレルの内壁に対して一定の間隔で対向する形状を有しており、該ワイピングランドの外面とバレル壁との間の押出成形品の流れを妨げ、該ワイピングランドは、第一の正のらせん角度を有するらせんの形式で該ミキシングセクションルート上に配置されており、該第一のらせん角度は、該バレル内で該ミキシングセクションが回転するにつれて、該ミキシングセクションの入口端から出口端へ向かって押出成形品を促すワイピングランドを規定するために適切である、ワイピングランドと、
（ｉｉｉ）少なくとも２つのバリアランドであって、該ミキシングセクション本体から外向きに伸展しており、該バリアランドは、側面を有しており、該バリアランドはまた、該押出成形品の一部が該バリアランドと該バレル壁との間を流れることを可能にするため、押出バレルの内壁から十分に離れた外面も有しており、該バリアランドは、該ワイピングランドの間に、互い違いになっている方式で配置されており、該バリアランドは、該ワイピングランドの第一のらせん角度よりも大きい第二のらせん角度を有している、バリアランドと、
（ｉｖ）入口チャネルを規定する隣接するワイピングランド及びバリアランドであって、その各々が入口端と出口端との間で伸展し、該入口チャネルが、それらの入口端とそれらの出口端との間で断面積を減少する、ワイピングランド及びバリアランドと、
（ｖ）隣接するバリアランド及びワイピングランドであって、また入口チャネルの間で互い違いになっている方式で配置されている出口チャネルも規定し、各々の出口チャネルが、入口端と出口端との間で伸展しており、該出口チャネルはそれらの入口端とそれらの出口端との間で断面積を増大する、バリアランド及びワイピングランドと、
（ｖｉ）ワイピングランド及びバリアランドに切り込まれたミキシングチャネルであって、該ミキシングチャネルは、負のらせん角度を規定するように配置されており、該ミキシングチャネルはまた、該ワイピングランド及び該バリアランドに対して該して垂直であるように配向されている、内壁面も呈しており、それによって、該ミキシングセクションは回転され、該ミキシングセクションの該ワイピングランド及び該バリアランドが、該ミキシングセクションの入口端から出口端へ押し出しを促し、それによって、該押出成形品の一部が、該ミキシングチャネルの側壁に遭遇する場合、該押出成形品の一部が、方向を変化し、それによって該押出成形品のミキシングを改善する、ミキシングチャネルと、
を備える、ミキシングセクションと、
を備え、
前記ミキシングセクションの各々の入口チャネルの深さが、入口端から出口端へ向かって減少し、かつ各々の出口チャネルの深さが、入口端から出口端へ増大する、押出スクリュー。
【請求項５】
前記ミキシングセクションのミキシングチャネルの少なくとも１つが、各々の入口チャネル及び各々の出口チャネル中のワイピングランドとバリアランドとの間の表面にまたがって規定される、請求項４に記載の押し出しスクリュー。
【請求項６】
前記ワイピングラントのらせん角度が、５５度と７５度との間であって、かつ前記バリアランドのらせん角度が、該ワイピングランドのらせん角度よりも少なくとも５度大きい、請求項４に記載の押出スクリュー。
【請求項７】
前記ワイピングランドのらせん角度が、５５度と７５度との間であって、かつ前記バリアランドのらせん角度が、該ワイピングランドのらせん角度よりも少なくとも５度大きく、かつ該ミキシングチャネルのらせん角度が、該ワイピングランドのらせん角度から少なくとも９０度離れている、請求項４に記載の押出スクリュー。
【発明の詳細な説明】
【技術分野】
【０００１】
関連出願に対する相互参照
本出願は、参照によって本明細書に援用される、２０１４年１月１７日出願の（特許出願１）の恩典を主張する。
【０００２】
分野
本発明は、ミキシングセクションを有する押出スクリューに関する。
【背景技術】
【０００３】
背景
溶融プラスチックと着色料を含めて添加物とを混合することは、ダイスによって押出成形中に溶融プラスチックを押し出す前に、又は射出成型法の間に型枠中に溶融プラスチックを射出する前に、重要な工程である。通常は、プラスチックペレット及び種々の添加物を、通常は、バレル、及びそのバレル内で回転する押出スクリューを備える押出機械の供給口に供給する。通常は、バレルとは、加熱壁を有する正確な円柱状の穴である。スクリューとは通常は、該して円柱状のスクリュールート、ならびに本体から突出する連続したらせんリッジ又は「矢羽（ｆｌｉｇｈｔ）」を有している細長いらせん状刃先のような部材である。このらせん状の矢羽は、狭い（通常は、約１ｃｍの幅）、連続した平坦な表面（好ましくはバレルの内壁から近くて離れている）を呈する。好ましくは、矢羽は、押出成形品が矢羽とバレルの内壁との間を流れないが、内壁から「ふき取られる」ように構成される。この押出成形品は、通常は、プラスチックペレット、部分的に溶融したプラスチックペレット、溶融プラスチック及び可能性としては添加物の組み合わせである。非溶融プラスチック及び溶融プラスチックの割合は、押出成形品が取り込み付近であるか、又は出口付近であるか次第で変化する。チャネルは、矢羽の回旋の間に規定される。このチャネルは、押出スクリューがバレル内で回旋するにつれて、バレルの長さを下って押出成形品を運ぶ。ほとんどの場合、この押出スクリューは、供給セクションを備え、ここでのチャネルの深さは一般には、一定してかつ比較的深く（１００ｍｍの直径のスクリューについては１５ｍｍ程度）、移行セクションではチャネルの深さは、減少し、第一の計測セクションでのチャネルの深さが減少され（１００ｍｍの直径のスクリューについては７ｍｍ程度）かつ一定である。このようなチャネルの深さは、当該分野では、「ルート深さ（ｒｏｏｔ  ｄｅｐｔｈ）」として公知である。通常は、バレルの内壁は、高度に粘性の溶融プラスチック材料中にプラスチックペレットを溶融するための加熱バンドを備える。完全なミキシングを達成するために、押出スクリューは、ミキシングセクションを備える場合が多い。ミキシングセクションの目的は、溶融プラスチック及び添加物を、ダイス又は射出成型の型枠のいずれかの中に押出成形品を押し付ける第二の計測セクションの前にできるだけ多く混合することである。
【先行技術文献】
【特許文献】
【０００４】
【特許文献１】米国特許仮出願第号６１／９２８，８５５号
【特許文献２】米国特許第５，２１５，７６４号
【発明の概要】
【課題を解決するための手段】
【０００５】
要旨
本発明の押出スクリューは、ミキシングセクションを備える。このミキシングセクションは、押出成形品を受容するための入口端及び押出成形品を排出するための出口端を有する。このミキシングセクションは、ミキシングセクションルート、ワイピングランド及びバリアランドを備える。このミキシングセクションルートは該して形状が円柱状である。ワイピングランド及びバリアランドは、ミキシングセクションルートの上に、互い違いになっている方式で配置されて、それらが入口端から出口端へ伸展するにつれてらせんを描くように配置されている。ワイピングランドは、押出バレルの壁に該して適合する外面を有する。バリアランドの外面と押出バレルの壁との間には隙間（ｏｆｆｓｅｔ）がある。ワイピングランドは、バリアランドよりも大きいらせん角度を有する。ワイピングランド及びバリアランドは、出口端に向かって狭くなる入口チャネルを規定する。バリアランド及びワイピングランドはまた、出口端に向かって広くなる出口チャネルも規定する。
【０００６】
ミキシングチャネルは、ワイピングランド及びバリアランドに切り込まれる。ミキシングチャネルは、ワイピングランド及びバリアランドに対して該して直角に配向されているらせんを規定するように配置される。従って、ミキシングチャネルは、ワイピングランド及びバリアランドにほぼ直角に配向されているチャネル壁表面を呈する。ワイピングランド及びバリアランドに対するミキシングチャネル壁面のこの反対向きの方向のせいで、入口端から出口端へ流れる押出成形品の一部は、その押出成形品の一部がミキシングチャネルの内壁面に遭遇するとき、方向を変える。この押出成形品の一部の方向のこの変更によって、この押出成形品のミキシングの増大が生じる。
【図面の簡単な説明】
【０００７】
【図１】ミキシングセクションを備える押出機スクリューの実施形態の側面図である。
【図２】ミキシングセクションの一実施形態の側面図である。
【図３】図２に示されるミキシングセクションの一実施形態の平面投影である。
【図４】ミキシングセクションを備える押出機スクリューの第二の実施形態の側面図である。
【図５】ミキシングセクションの第二の実施形態の側面図である。
【図６】図２に示されるミキシングセクションの平面投影である。
【発明を実施するための形態】
【０００８】
詳細な説明
図面を参照すれば、図１及び図２は、ミキシングセクション１０の例示的な実施形態を備える、押出スクリュー２を示す。押出スクリュー２は、図１で部分的にのみ示される押出バレル５内の矢印Ｒで示される方向に回転するように配置されている。当業者の読者には、押出バレル５は、押出スクリュー２の少なくとも全長に伸びることが理解されよう。当業者の読者はまた、押出バレル５が、押出スクリュー２を受容するための正確に規定された円柱状の穴を提示しており、かつ通常は、プラスチック押出成形品を加熱及び溶融するために通常供給端付近に配置された加熱バンドを備えることも理解するであろう。参照によって本明細書に援用される（特許文献２）についても参照される。
【０００９】
図１に示されるような押出スクリュー２は、典型的な押出スクリューの例として意図するものであって、ミキシングセクション１０を組み込み得る全ての押出スクリューの代表では決してない。図１からわかるとおり、押出スクリュー２は、矢印Ｒで示される方向でその縦軸Ａに対して回転するものとする。押出スクリュー２は、供給セクション２Ａ、移行セクション２Ｂ、第一の計測セクション２Ｃ、ミキシングセクション１０、ならびに第二の計測セクション２Ｄ及び最終出口２Ｅを備える。この実施例では、第一の連続のらせん矢羽３Ａが、供給セクション２Ａの入口端から第一の計測セクション２Ｃの出口端に伸展する。らせん矢羽は、スクリュールート２Ｒから半径方向に外向きに伸展し、かつ約１５〜２０度のらせん角度で配置される。説明として、０度というらせん角度を有する矢羽は、Ａ軸に垂直であり、かつスクリュールートを取り囲む、単なるリング状放射状バンドである。このような矢羽はおそらく有用な機能を有さない。逆に、９０度のらせん角度を有する矢羽は、Ａ軸と完全に配列されており、かつおそらく有用な機能を有さない長軸リッジであろう。しかし、０度より大きく、かつ９０度より有意に小さい角度で配置される矢羽は、いわば、液体を連続的にポンピングする装置用の典型的なデザインである、らせん状刃先のようなアルキメデス（Ａｒｃｈｉｍｅｄｉａｎ）スクリューを規定する。従って、矢羽３Ａは、押出スクリュー２が指示矢印Ｒで示される方向に回転するにつれて、供給端から計測セクション２Ｃの出口へ押出成形品をポンピングするために適合される。
【００１０】
図１でわかるとおり、押出スクリュー２の矢羽３Ａは、押出バレル５の内面に密接に適合する平坦な外側ランド表面３Ｌを有する。ランド表面３Ｌは、バレル５の壁に必ずしも正確に適合する必要は無く、ただしランド表面３Ｌとバレル壁との間の隙間は好ましくは、それらの表面の間の押出成形品のなんらかの有意な流れを妨げるのに十分に小さい。ランド表面３Ｌとバレル壁との間に少量の押出成形品が存在し得るように、わずかなギャップが好ましい。この一定して置き換えられる、少量の押出成形品は、潤滑剤として機能する。ランドとバレル壁との間の押出成形品の有意な流れを妨げるために、押出バレルの内壁と接近して離れている矢羽又は「ランド（ｌａｎｄ）」は、当業者には、「ワイピングランド」と呼ばれる。なぜなら、ワイピングランドは、バレルの内壁をふき取って押出成形品の汚れをなくする傾向であるからである。ランドとバレルの壁との間の押出成形品の流れを可能にするような、押出バレルの内壁から十分に離れている、矢羽又は「ランド」は、当業者には、「バリアランド」と呼ばれる。なぜならバリアランドは、押出成形品の通過に対する障害物となる傾向であるが、押出成形品の通過を完全に妨げることはないからである。チャネル２ＣＨは、矢羽３Ａの回旋の間に規定される。このチャネルは、押出成形品を運搬し、このチャネルの深さは、スクリュー２に沿う位置に応じて変化する。この実施例では、供給セクション２Ａでは、スクリュールート２Ｒは比較的小さい直径を有し、結果として比較的深いチャネル２ＣＨが生じる。移行セクション２Ｂでは、スクリュールート２Ｒの直径は増大し、その結果チャネル２ＣＨの深さは、移行セクション２Ｂの入口端と出口端との間で減少する。第一の計測セクション２Ｃは、該して一定のスクリュールート直径及び対応する該して一定のチャネル深さを有する。同じことが、第二の計測セクション２Ｄにも言える。第二の計測セクション２Ｄは、ミキシングセクション１０から混合された押出成形品を受容するように適合されており、かつ押出機械の出口に対する連続の制御された流れの中に押出成形品を渡す。上記で注記されたとおり、この実施例では、ミキシングセクション１０は、第一の計測セクション２Ｃと第二の計測セクション２Ｄとの間に割り込まれる。ミキシングセクション１０は、下にさらに詳細に記載されている。
【００１１】
図２は、ミキシングセクション１０の例示的な実施形態の拡大図を示す。図３は、ミキシングセクション１０のほとんどが平面上に投影されている、投影図を示す。図２でさらに詳細にわかるように、ミキシングセクション１０はまた、該して円柱状である。ミキシングセクション１０（押出スクリュー２など）は、軸Ａに対して回転するように配置されており、かつミキシングセクション１０は、押出スクリュー２上に固定されているので、ミキシングセクションはまた、図２で指示矢印Ｒの方向で示される方向にも回転する。ミキシングセクション１０はまた、入口端１２及び出口端９０を有するともみなされ得る。
【００１２】
図２に、及び図３でさらに詳細にわかるとおり、ミキシングセクション１０は、ミキシングセクションルート２０、ワイピングランド３０及びバリアランド５０を備える。ミキシングセクションルート２０は好ましくは、円柱状であり、かつ参照表面としてみなされてもよく、この参照表面からミキシングセクション１０の他の機構の相対的な放射状の高さ又は深さが測定され得る。この例示的な実施形態では、ワイピングランド３０は、４つのワイピングランド３０を備え（図３及び６で最もよくわかるように）、これは好ましくは、ルート２０の周囲に均一に空間が開けられている。この実施例では、ワイピングランド３０は、第一のらせん角度で設定される。図２及び３に示されるミキシングセクションの実施例では、ワイピングランド３０は、約７０度というらせん角度を有する。ワイピングランド３０は、ミキシングセクションルート２０から外向きに伸展して、平坦なリッジ様の外側表面３２を示し、これは好ましくは、押出バレル５の内面から近接して離れている。ワイピングランド３０の外面３２は、上記のように押出バレル５の内面をふき取って押出成形品のよごれをなくする傾向である。
【００１３】
図２及び図３はまた、ミキシングセクションルート２０から外にも伸展する、１セットのバリアランド５０を図示している。バリアランド５０は、ワイピングランド３０の間で互い違いになって配列されており、その結果バリアランド５０は、お互いと均一に空間を空けられ、かつワイピングランド３０に対して均一に空間を空けられている。従って、また４つのバリアランド５０も存在する。この例示的な実施形態では、バリアランド５０は、ワイピングランド３０の第一のらせん角度よりも大きい第二のらせん角度に設定される。図２及び３に示される実施例では、バリアランド５０のらせん角度は、約７５度である。バリアランド５０は、好ましくは外面５２とバレル壁との間で押出成形品の一部の流れを可能にするのに十分離れた距離で押出バレル５の内面から離れている、リッジ様平坦外面５２を呈する。
【００１４】
バリアランド５０は、回転の方向Ｒで考慮した場合、ワイピングランド３０よりも大きいらせん角度を有するので、バリアランド５０とワイピングランドとの間の互い違いになっている空間は、入口端から出口端まで幅が減少する、入口チャネル３４を規定する。この例示的な実施形態では、入口チャネル３４は、入口端から出口端まで深さを減少する。従って、入口チャネル３４は、さらに広く、また入口端ではさらに深くてもよいので、入口チャネル３４は、それらの入口端で押出成形品の流れに対して相対的にオープンであり、かつそれらの出口端で押出成形品の流れに対して相対的に閉じられている。従って、各々の入口チャネル３４は、第一のチャネルエリアを（軸Ａに対して垂直な平面上で考えた場合）、その出口端で第二のチャネルエリアよりも大きいその入口端で呈する。
【００１５】
同様に、またバリアランド５０はワイピングランド３０よりも大きいらせん角度を有するので、バリアランド５０とワイピングランド３０との間の互い違いになっている空間は、回転Ｒの方向と反対の方向で考えた場合、入口端から出口端へと幅を増大する出口チャネル５４を規定する。さらに、出口チャネル５４はまた、それらの入口端からそれらの出口端へと深さを増大してもよい。従って、出口チャネル５４（軸Ａに対して垂直な平面上に投射した場合）の断面積は、それらの入口端とそれらの出口端との間で増大するので、出口チャネル５４はそれらの入口端で押出成形品の流れに対して相対的に閉じられており、かつそれらの出口端で押出成形品の流れに対して相対的にオープンである。
【００１６】
図２及び図３でわかるとおり、ミキシングチャネル６０は、最初にワイピングランド３０及びバリアランド５０に切り込まれる。この例示的な実施形態では、ミキシングチャネル６０の輪郭は、該して弧の形状の断面を表す。さらに、この例示的な実施形態では、ミキシングチャネル部分３８はまた、ワイピングランド３０とバリアランド５０との間で、入口チャネル３４の出口端付近で入口チャネル３４中に伸展する。同様に、ミキシングチャネル部分５８はまた、外側チャネル５４の入口端付近でバリアランド５０とワイピングランド３０との間で規定される。
【００１７】
図４〜図６及び具体的には、図５及び図６は、第二の実施例の実施形態のミキシングセクション１０Ａを図示する。ミキシングセクション１０Ａは、入口チャネル３４及び出口チャネル５４がいずれかが比較的一定の深さであるか、又はそれら全体にわたって少なくとも十分な深さを有していることを除いて、ミキシングセクション１０と極めて類似しており、その結果、ミキシングチャネル６０が入口チャネル３４及び出口チャネル５４のいずれかのフロアに切り込まれるポイントはない。従って、ミキシングチャネル部分３８及び５８は、ミキシングセクション１０Ａ中に存在しない。これによって、種々の構成が本発明の範囲内におさまったままで種々の要件を満たすように選択され得ることが例示される。しかし、ミキシングセクション１０Ａに関して、入口チャネル３４の断面積がそれらの入口と出口との間で増大し、かつ出口チャネル５４の断面積がそれらの入口と出口との間で減少するという状況は残る。
【００１８】
この実施例では、図３で最もわかるように、ミキシングチャネル６０は、ワイピングランド３０に対して直角よりもわずかに大きい角度で配向される、２つの矢羽（図３の６０Ａ及び６０Ｂ）に配置されている。従って、ミキシングチャネル６０は、この実施例では、約３０度というらせん角度を有する。（これに関して、当業者の読者は、ワイピングランド、バリアランド又は正のらせん角度を有するチャネルなどの構造は、回転の方向を考えれば、押出成形品が、押出スクリュー又はその一部の入口端から出口端へ強制されることを想起すべきである。逆に、負のらせん角度を有するチャネルなどの特徴は、該して出口端から入口端へ向かう反対方向で押出成形品を逆流に対して促す傾向である）。−３０度というらせん角度のおかげで、ミキシングチャネル６０は、押出成形品が入口端から出口端へ流れるにつれて、押出成形品が遭遇する表面に相当する。
【００１９】
当業者の読者は、ワイピングランド、バリアランド及びミキシングチャネルの種々の表面が、ミキシングセクション１０全体にわたって押出成形品が進行するにつれて、どのように押出成形品と相互作用し得るかをイメージできるであろう。ミキシングセクション１０がＲの方向に回転するにつれて、押出成形品は押されて、入口チャネル３４を下り、及びバリアランド５０を登り、出口チャネル５４中に入れられる。この入口チャネル３４から出口チャネル５４への流れが生じるにつれて、ワイピングランド３０及びバリアランド５０の正の大きいらせん角度が生じ、ならびに回転Ｒの方向によって、ワイピングランド３０及びバリアランド５０は、押出成形品の流れの一般的方向と一致して入口端から出口端へ向かってらせん運動させられ、それによってその押出成形品を該して、入口端から出口端に向かって、及びまた入口チャネルから出口チャネルへ、アルキメデス方式で強制的に流す。しかし、ミキシングチャネル６０の負のらせん角度によって、ミキシングチャネルは、ミキシングセクション１０が回転Ｒの方向に回旋させられるとき、押出成形品の流れの方向とは少なくとも部分的に反対の方向に進行させられる。結果として、入口チャネル３４から出口チャネル５４へ流れる押出成形品が、ミキシングチャネル表面６８に遭遇するにつれて、その押出成形品の一部は、その押出成形品の残りとは異なる方向に再配向され、かつこの異なる方向は、少なくとも相対的に言って、押出成形品のその部分が、その押出成形品の残りに対して逆流であるかのように理解され得る。この押出成形品の一部の再配向は押出成形品のミキシングを有意に向上し得る。なぜならこれはミキシングセクション１０を通過するからである。
【００２０】
当業者の読者は、上記のミキシングセクション１０が、大きな利点を有する押出スクリューを提供することを容易に理解する。押出成形品のミキシングは、ミキシングセクションが回転するにつれて逆流方式中で進行するミキシングチャネル表面を呈するように、ミキシングセクションのワイピングランドに対してほぼ直角である、らせん角度に配置されたミキシングチャネルの矢羽を設けることによって有意に向上される。逆流方向で移動するミキシングチャネル表面に遭遇する押出成形品は、方向を変化し、それによってその押出成形品のミキシングを向上する。
【００２１】
本発明の特定の形態を例示し、記載してきたが、このような限定は、以下の特許請求の範囲及びその許容される等価物に含まれること以外には、その記載に限定されないことが理解されるべきである。  
【図１】
0006596770.tif 000002
【図２】
0006596770.tif 000003
【図３】
0006596770.tif 000004
【図４】
0006596770.tif 000005
【図５】
0006596770.tif 000006
【図６】
0006596770.tif 000007